(57)【要約】【課題】  耐久性に優れ、使用時に吸引機能が殆ど低下せず、且つ保守が容易な排泄物処理装置を提供する。【解決手段】  排泄物タンク１３内にセパレータ１６を位置させた状態で、吸引器７０を駆動して負圧状態を発生する。  これにより、吸引路６０および排泄物タンク１３を介して吸引ホース３に吸引力が発生する。そして、ヘッドから吸引された空気および排泄物が吸引ホース３を介して排泄物タンク１３に流入する。【選択図】  図２
2008178492.tif 000002
【特許請求の範囲】
【請求項１】
被看介護者の排泄物を処理するための介護用排泄物処理装置であって、
吸引力によって排泄物を流入する吸引ホースと、
前記吸引ホースの端部が取り付けられ、前記吸引ホースを介して流入した排泄物を貯める排泄物タンクと、
吸引器と、
前記排泄物タンクを介して前記吸引ホースに前記吸引器の吸引力を伝達するために前記排泄物タンクと前記吸引器との間に設けられた経路と、
前記経路に設けられ、前記吸引力に応じて空気と共に前記排泄物タンクから流入した前記排泄物を遠心分離により分離して前記排泄物タンクに戻すセパレータと
を有する
排泄物処理装置。
【請求項２】
前記セパレータは、
前記経路内を伝わる前記吸引力によって回転し、周縁部あるいは周縁部付近に傾斜面部を備えた回転体と、
前記回転体の前記傾斜面部が形成された面と共に遠心分離を行う空間を形成し、外周部に複数のスリットが形成された包囲部材と
を有し、
前記吸引力によって前記包囲部材のスリットを介して前記空間に入った前記排泄物を、前記傾斜面部によって生じる風力によって前記包囲部材内で遠心分離させ、前記包囲部材の外周部のスリットから前記排泄物タンクに向けて戻す
請求項１に記載の排泄物処理装置。
【請求項３】
前記回転体には、前記包囲部材側からの空気を前記経路に向けて通す開口部が形成されている
請求項２に記載の排泄物処理装置。
【請求項４】
温水を貯える温水タンクと、
前記温水タンクに貯えられた温水を噴出器と、
前記噴出器から延在した温水チューブと、
前記排泄物タンクから延在した前記吸引ホースの先端部と、前記温水チューブの先端部とに装着されるヘッドと
を有し、
前記ヘッドは、被介護者の体に温水を噴出して洗浄すると共に、洗浄後の排水を空気と共に吸引する
請求項１に記載の排泄物処理装置。
【請求項５】
前記吸引ホースの先端には、排泄物を吸引するためのヘッドが設けられ、
前記ヘッドには、前記排泄物の有無を検出する検出手段が備えられ、
前記吸引器は、前記検出手段が前記排泄物を検出したことを条件に前記吸引力を発生する
請求項１に記載の排泄物処理装置。
【発明の詳細な説明】
【技術分野】
【０００１】
本発明は、排泄物の処理をするための排泄物処理装置に関する。
【背景技術】
【０００２】
介護施設等に於いては、ベッド等に横臥した被介護者の体を洗浄する、下腹部を洗浄する、床ずれ等を洗浄する、頭髪を洗浄する、採尿して洗浄する、糞尿を排出して洗浄するといった介護作業が介護作業者によって行われている。
【発明の開示】
【発明が解決しようとする課題】
【０００３】
しかしながら、介護作業者にとっては、洗浄作業が煩雑であると共に、洗浄するための温水、洗浄後の排水、排泄物の処理などが困難であり、介護作業者の作業を軽減したいといった要望がある。
このような要望に応えるために、排泄物を吸引してタンクに貯える装置がある。しかしながら、このような装置では、吸引力を発生している吸引器側に、空気と共に排泄物が吸引されてしまう。そのため、吸引力が低下したり、故障等の要因になるという問題がある。また、保守作業が必要となり、負担が大きいという問題もある。
【０００４】
本発明は、上述したような事情に鑑みてなされたものであって、被介護者の洗浄作業、及び、温水、排水、排泄物の処理などが容易であり、介護作業者の作業を軽減することができる、排泄物処理装置を提供することを目的とする。
また、本発明は、耐久性に優れ、使用時に吸引機能が殆ど低下せず、且つ保守が容易な排泄物処理装置を提供することを目的とする。
【課題を解決するための手段】
【０００５】
上記の目的を達成するため、本発明に係る介護用温水洗浄装置は、被看介護者の排泄物を処理するための介護用排泄物処理装置であって、吸引力によって排泄物を流入する吸引ホースと、前記吸引ホースの端部が取り付けられ、前記吸引ホースを介して流入した排泄物を貯める排泄物タンクと、吸引器と、前記排泄物タンクを介して前記吸引ホースに前記吸引器の吸引力を伝達するために前記排泄物タンクと前記吸引器との間に設けられた経路と、前記経路に設けられ、前記吸引力に応じて空気と共に前記排泄物タンクから流入した前記排泄物を遠心分離により分離して前記排泄物タンクに戻すセパレータとを有する。
【０００６】
本発明の介護用温水洗浄装置では、セパレータにより、排泄物と共に流入した空気から、排泄物を分離して排泄物タンクに戻す。そのため、排泄物が吸引器に向けて流入することを回避できる。
本発明では、セパレータにモータ等の回転駆動手段を直接取り付けるのではなく、例えば、セパレータ内の加圧される部分に回転体を配置し、機末にあるモータを駆動して空気を引き出すことで上記回転体を負圧の力でセパレータ内で回転させる。
【０００７】
また、本発明の介護用温水洗浄装置の前記セパレータは、好ましくは、前記経路内を伝わる前記吸引力によって回転し、周縁部あるいは周縁部付近に傾斜面部を備えた回転体と、前記回転体の前記傾斜面部が形成された面と共に遠心分離を行う空間を形成し、外周部に複数のスリットが形成された包囲部材とを有し、前記吸引力によって前記包囲部材のスリットを介して前記空間に入った前記排泄物を、前記傾斜面部によって生じる風力によって前記包囲部材内で遠心分離させ、前記包囲部材の外周部のスリットから前記排泄物タンクに向けて戻す。
【０００８】
また、好ましくは、本発明の介護用温水洗浄装置の前記回転体には、前記包囲部材側からの空気を前記経路に向けて通す開口部が形成されている。
【０００９】
また、本発明の介護用温水洗浄装置は、好ましくは、温水を貯える温水タンクと、前記温水タンクに貯えられた温水を噴出器と、前記噴出器から延在した温水チューブと、前記排泄物タンクから延在した前記吸引ホースの先端部と、前記温水チューブの先端部とに装着されるヘッドとを有し、前記ヘッドは、被介護者の体に温水を噴出して洗浄すると共に、洗浄後の排水を空気と共に吸引する。
また、本発明は、好ましくは、前記吸引ホースの先端には、排泄物を吸引するためのヘッドが設けられ、前記ヘッドには、前記排泄物の有無を検出する検出手段が備えられ、前記吸引器は、前記検出手段が前記排泄物を検出したことを条件に前記吸引力を発生する。
【発明の効果】
【００１０】
本発明によれば、被介護者の洗浄作業、及び、温水、排水、排泄物の処理などが容易であり、介護作業者の作業を軽減することができる、排泄物処理装置を提供することができる。
また、本発明によれば、耐久性に優れ、使用時に吸引機能が殆ど低下せず、且つ保守が容易な排泄物処理装置を提供することができる。
【発明を実施するための最良の形態】
【００１１】
以下、本発明の実施の形態に係る介護用温水洗浄装置を図面を参照しつつ説明する。
先ず、本実施形態の介護用温水洗浄装置の全体構成を説明する。
図１は、本発明の実施の形態に係る介護用温水洗浄装置の分解斜視図である。
介護用温水洗浄装置は、大略的には、装置本体１と、装置本体から延在した温水チューブ２と吸引ホース３との先端部に着脱自在に装着されるヘッドＨａ，Ｈｂ，Ｈｃ，Ｈｄとからなる。
ここで、Ｈａはボディ用シャワーヘッドであり、Ｈｂは頭髪用シャワーヘッドであり、Ｈｃは採尿・洗浄用カップ型ヘッドであり、Ｈｄは糞尿排出・洗浄用カップ型ヘッドである。
【００１２】
装置本体１には、温水を貯留する温水タンク（図示略）が設けてあり、この温水タンクには、ゴミ受け１１を介して外部から介護作業者が水又は温水を注ぐようになっており、水の場合には、所定温度まで加熱して温水にすることができる。装置本体１内には、温水を温水チューブ２を介してヘッドＨａ〜Ｈｄから噴出する噴出器（図示略）が設けてある。符号１２は、給水キャップである。
【００１３】
装置本体１には、洗浄後の排水や排泄物を貯留するための排泄物タンク１３が装着できる。符号１４は、排泄物タンク蓋であり、符号１５は、ゴムパッキンである。
【００１４】
装置本体１の上方には、ヘッドＨａ〜Ｈeから吸引ホース３を介して排泄物タンク１３に空気と排泄物とを分離するセパレータ１６が設けてある。
本実施形態では、ヘッドＨｅは、センサ２００を備え、ヘッドＨｅ内に排泄物（尿や便）が溜まると、それを光等で検出する。なお、センサ２００による排泄物の検出原理は、光によるものの他、圧力、電波等その他の方式でもよい。
セパレータ１６は、排泄物タンク１３に汚水を吸引し、水と空気に分離する。
なお、符号１７は、本体カバーであり、符号１８は、キャリングベルトである。
【００１５】
本実施形態の介護用温水洗浄装置では、図２に示すように、排泄物タンク１３内に吸引ホース３のタンクジョイント２５が連結されており、吸引ホース３を介して空気と共に流入した排泄物が排泄物タンク１３内に流入される。
さらに、排泄物タンク１３の排泄物タンク蓋１４には開口部１４ａが形成されており、図２に示すように、開口部１４ａを介してセパレータ１６が排泄物タンク１３内に位置している。
【００１６】
セパレータ１６は、吸引路６０の一端に連結している。吸引路６０の他端は、吸引器７０に連結されている。
吸引器７０は、排泄物タンク１３内の気圧よりも低い気圧（負圧）状態をつくり、排泄物タンク１３内の気圧との間の圧力差により、吸引路６０を介して排泄物タンク１３から吸引器７０に向けて吸引力を発生させる。
なお、吸引器７０は、上述したセンサ２００から排泄物を検出したことを示す信号を受けると、それをトリガーとして駆動され、吸引力が発生する。このようにすることで、自らスイッチをオン／オフ操作できない被介護者用としても用いることができる。
【００１７】
図４は、セパレータ１６を説明するための図である。
図４に示すように、セパレータ１６は、軸７１を備え、軸７１には回転体７３が装着されている。回転体７３は、軸７１を中心に回転可能である。なお、軸７１は、例えば、回転せず固定である。
回転体７３の円板状部分には、開口部７３１，７３２，７３３，７３４が形成されている。開口部７３１，７３２，７３３，７３４は、排泄物タンク１３内の空気が吸引器７０に向けて流入するときの流路となる。
なお、セパレータ１６には、吸引路６０に連結した流路口８００が設けられている。
【００１８】
回転体７３の円板状部分の周縁部あるいは周縁部付近には、図３，図４および図５に示すように、周方向に沿って延び、軸７１の方向に傾斜した４つの傾斜面部７４１，７４２，７４３，７４４が設けられている。具体的には、傾斜面部７４１，７４２，７４３，７４４の各々は、図５に示すように、端部７４１ａ，７４２ａ，７４３ａ，７４４ａから端部７４１ｂ，７４２ｂ，７４３ｂ，７４４ｂに向けて、それぞれ周方向に沿って図６紙面中奥側から手前側に向けて深さ方向に傾斜している。これより、吸引路６０を介して得られる吸引力によって、傾斜面部７４１，７４２，７４３，７４４が風車の原理による回転力を回転体７３に与える。そして、この回転力により、回転体７３は、半時計回りに回転する。
【００１９】
このように、セパレータ１６に対して吸引路６０を挟んで位置する吸引器７０によって発生した負圧により、回転体７３を回転する。そのため、セパレータ１６内にモータ等の回転駆動手段を設ける必要が無く、セパレータ１６を小型化できる。また、吸引路６０にシャフトを設ける必要が無く、構成を簡単にできる。
【００２０】
また、軸７１の先端には、包囲部材８０がナット８１等によって着脱可能に固定される。
包囲部材８０の外周面には、周方向と直交する方向に延びる複数のスリット８０１が周方向に沿って形成されている。
【００２１】
傾斜面部７４１，７４２，７４３，７４４は、回転体７３が軸７１を中心に回転しているときに、包囲部材８０内の空間において、包囲部材８０内にある排泄物を軸７１を中心に回転させる風力を発生する。これにより、包囲部材８０内にある排泄物は、遠心力によって外周面側に移動し、スリット８０１を介して排泄物タンク１３内に噴出される。
【００２２】
そして、質量が小さい空気のみが、軸７１の周囲に位置する回転体７３の開口部７３１，７３２，７３３，７３４を通って、吸引路６０を介して吸引器７０に向けて吸い込まれる。すなわち、包囲部材８０内に空気と共に吸引された質量がある排泄物は、上記遠心力の作用で、回転体７３の開口部７３１，７３２，７３３，７３４付近には位置しないので、開口部７３１，７３２，７３３，７３４を通って吸引路６０に移動することはない。
このように、セパレータ１６では、空気と共に吸い込まれた排泄物を遠心分離させ、空気のみを吸引路６０に吸引し、排泄物を排泄物タンク１３に戻すことができる。
【００２３】
温水チューブ２と吸引ホース３は、クリップ２１により適宜箇所で連結してある。温水チューブ２の両端部には、コネクタ２２，２３が設けてあり、コネクタ２２は、ヘッドＨａ〜Ｈｄのコネクタに連結され、コネクタ２３は、装置本体１の温水プラグ１９に連結される。
【００２４】
吸引ホース３の両端部には、ヘッドジョイント２４とタンクジョイント２５とが設けてあり、ヘッドジョイント２４は、各ヘッドＨａ〜Ｈｄに連結可能であり、タンクジョイント２５は、排泄物タンク１３に連結可能である。
【００２５】
以下、本発明の実施形態の介護用温水洗浄装置の作用を説明する。
図２に示すように、排泄物タンク１３内にセパレータ１６を位置させた状態で、吸引器７０を駆動して負圧状態を発生する。
これにより、吸引路６０および排泄物タンク１３を介して吸引ホース３に吸引力が発生する。
【００２６】
そして、ヘッドＨａ〜Ｈｄから吸引された空気および排泄物が吸引ホース３を介して排泄物タンク１３に流入する。
また、排泄物タンク１３内の空気は、セパレータ１６および吸引路６０を介して吸引器７０に向けて吸引される。
このとき、排泄物タンク１３内の排泄物も空気と共にセパレータ１６の包囲部材８０内のスリット８０１を介して流入する。また、図３、図４および図５に示す回転体７３は吸引力により回転している。
【００２７】
そして、包囲部材８０内で排泄物が遠心分離により、包囲部材８０のスリット８０１を介して排泄物タンク１３内に戻される。
一方、包囲部材８０内の空気は、回転体７３の開口部７３１，７３２，７３３，７３４を介して吸引路６０を通り吸引器７０に向けて吸引される。
【００２８】
以上説明したように本実施形態の介護用温水洗浄装置によれば、被介護者の洗浄作業、及び、温水、排水、排泄物の処理などが容易であり、介護作業者の作業を軽減することができる。
また、本実施形態の介護用温水洗浄装置では、セパレータ１６において、排泄物タンク１３内の空気のみを吸引路６０に流入させ、排泄物を流入させないようにできる。そのため、排泄物が吸引器７０に達して吸引器７０の吸引機能が低下したり、故障が生じることを効果的に回避できる。
また、吸引路６０から吸引器７０側に排泄物が流入しないため、包囲部材８０１のみを取り外して洗浄すればよく、保守作業が簡単である。
【００２９】
また、本実施形態の介護用温水洗浄装置では、セパレータ１６に対して吸引路６０を挟んで位置する吸引器７０によって発生した負圧により、回転体７３を回転する。そのため、セパレータ１６内にモータ等の回転駆動手段を設ける必要が無く、セパレータ１６を小型化できる。また、吸引路６０にシャフトを設ける必要が無く、構成を簡単にできる。
【００３０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した実施形態では排泄物吸引機能に加えて、温水噴射機能を備えた介護用温水洗浄装置を例示したが、温水噴射機能を備えていなくても良い。
また、上述した実施形態では、図３および図４に示す包囲部材８０１は回転しない構成にしたが、回転体７３と一体となって包囲部材８０１を回転する構成にしてもよい。
【図面の簡単な説明】
【００３１】
【図１】図１は、本発明の実施形態に係る介護用温水洗浄装置の分解斜視図である。
【図２】図２は、図１に示す介護用温水洗浄装置の吸引機能に係わる構成を説明するための図である。
【図３】図３は、図１に示すセパレータの構成を説明するための図である。
【図４】図４は、図１に示すセパレータの構成を説明するための図である。
【図５】図５は、図１に示すセパレータの構成を説明するための図である。
【符合の説明】
【００３２】
１…装置本体
２…温水チューブ
３…吸引ホース
１６…セパレータ
７１…軸
７３…回転体
８０…包囲部材
Ｈａ…ボディ用シャワーヘッド
Ｈｂ…頭髪用シャワーヘッド
Ｈｃ…採尿・洗浄用カップ型ヘッド
Ｈｄ…糞尿排出・洗浄用カップ型ヘッド
【図１】
2008178492.tif 000003
【図２】
2008178492.tif 000004
【図３】
2008178492.tif 000005
【図４】
2008178492.tif 000006
【図５】
2008178492.tif 000007